(57)【特許請求の範囲】
【請求項１】
下流端にガスノズルを突設するガス供給装置と、
前記ガスノズルから噴出される燃料ガスの導入孔を端部に有するスロート管と、そのスロート管に連設され、上部に載置されたバーナキャップとの間で炎口を形成するバーナ本体とを備えたコンロバーナと、
前記ガス供給装置と前記コンロバーナとを連結する連結具と、を含んでなるコンロであって、
前記連結具は、前記スロート管に固定される固定部と、前記導入孔の左右で前記導入孔から離れる方向に突出する一対の突出部と、前記スロート管の軸線方向で前記導入孔から所定距離離れた位置で前記一対の突出部間に架設される架設部と、を備える一方、
前記ガス供給装置は、前記ガスノズルの突設方向と反対側の上面に、前記ガスノズルに対する前記スロート管の適正位置で前記架設部が上方から載置される載置部を備え、
前記架設部が前記載置部に載置されて固定手段で固定された状態で、前記連結具を介して前記スロート管が前記ガスノズルに対して位置合わせされることを特徴とするコンロ。
【請求項２】
前記架設部と前記載置部との何れか一方には、突起が設けられ、他方には、前記載置部への前記架設部の載置と共に前記突起が嵌合して前記架設部を前記適正位置で位置決めする被嵌合部が設けられることを特徴とする請求項１に記載のコンロ。
【発明の詳細な説明】
【技術分野】
【０００１】
本発明は、テーブルコンロやビルトインコンロ等のコンロに関する。
【背景技術】
【０００２】
テーブルコンロ等のコンロは、筐体内に、１又は複数のコンロ部が設けられている。コンロ部には、コンロバーナと、コンロバーナに燃料ガスを供給するガスノズルを下流端に備えたガス供給装置とが設けられる。
コンロバーナは、筐体の天板に設けたバーナ開口内に位置し、上面に載置されるバーナキャップとの間で炎口を形成するバーナ本体と、そのバーナ本体から突設され、ガスノズルに対向するガス導入孔を備えたスロート管とを含んでなり、ガスノズルから噴出された燃料ガスと一次空気とをスロート管に導入して混合し、混合気を炎口から噴出させて燃焼させるようになっている。
【０００３】
従って、コンロバーナの組み付けに関しては、ガスノズルとスロート管とが同軸で位置決めされるのが望ましい。しかし、一次空気を燃料ガスと共に導入する構造上、ガスノズルとスロート管とは、一定距離離した状態で組み付けられるため、位置決めの精度を出すのが難しいという問題がある。
この問題を解決するものとして、特許文献１には、スロート管の両側に形成される張り出し片を差し込むためのスリットを備えた左右一対の側板と、両側板を連結してガスノズルを差し込むための貫通孔を備えた連結片とからなる固定具を用いた取り付け構造が開示されている。
【先行技術文献】
【特許文献】
【０００４】
【特許文献１】特開２０１３−２４５１２号公報
【発明の概要】
【発明が解決しようとする課題】
【０００５】
ところが、特許文献１の取り付け構造では、固定具をスロート管の突設方向に相対移動させてコンロバーナに取り付けるため、狭い筐体内では他部品との干渉が生じやすく、作業がやりにくい。また、固定具に設けたスリットに張り出し片を差し込んでスロート管の位置決めを行うため、差し込みが不十分になったり、コンロバーナが側板からの抜け方向にずれたりすると、同軸であってもガスノズルとスロート管との距離が適正に設定されないおそれがある。
【０００６】
そこで、本発明は、コンロバーナの組み付け性の向上を維持しつつ、ガスノズルとスロート管との位置決めを同軸と両者間の距離との双方の点で精度よく行うことができるコンロを提供することを目的としたものである。
【課題を解決するための手段】
【０００７】
上記目的を達成するために、請求項１に記載の発明は、下流端にガスノズルを突設するガス供給装置と、ガスノズルから噴出される燃料ガスの導入孔を端部に有するスロート管と、そのスロート管に連設され、上部に載置されたバーナキャップとの間で炎口を形成するバーナ本体とを備えたコンロバーナと、ガス供給装置とコンロバーナとを連結する連結具と、を含んでなるコンロであって、
連結具は、スロート管に固定される固定部と、導入孔の左右で導入孔から離れる方向に突出する一対の突出部と、スロート管の軸線方向で導入孔から所定距離離れた位置で一対の突出部間に架設される架設部と、を備える一方、
ガス供給装置は、ガスノズルの突設方向と反対側の上面に、ガスノズルに対するスロート管の適正位置で架設部が上方から載置される載置部を備え、
架設部が載置部に載置されて固定手段で固定された状態で、連結具を介してスロート管がガスノズルに対して位置合わせされることを特徴とする。
請求項２に記載の発明は、請求項１の構成において、架設部と載置部との何れか一方には、突起が設けられ、他方には、載置部への架設部の載置と共に突起が嵌合して架設部を適正位置で位置決めする被嵌合部が設けられることを特徴とする。
【発明の効果】
【０００８】
請求項１に記載の発明によれば、コンロバーナと共に連結具を上方からセットする工程でコンロバーナの位置決めが可能となる。よって、筐体内での他の部品との干渉を考慮することなくコンロバーナの組み付けが可能となり、組み付け性が向上する。また、予めコンロバーナに固定された連結具を載置部に載置することで位置決めが行われるので、連結具に対してコンロバーナがずれたりすることがなく、ガスノズルに対するスロート管の位置決めを同軸と両者間の距離との双方の点で精度よく行うことができる。
請求項２に記載の発明によれば、請求項１の効果に加えて、突起と被嵌合部との採用により、コンロバーナ及び連結具の仮組を容易且つ精度よく行うことができ、組み付け作業の作業性がより良好となる。
【図面の簡単な説明】
【０００９】
【図１】テーブルコンロの斜視図である。
【図２】天板を取り外した状態の斜視図である。
【図３】天板を取り外した状態の平面図（グリル部は半断面で示す）である。
【図４】グリル部のガス量調整装置の位置での前後方向の断面図である。
【図５】左側のコンロ部においてコンロバーナを取り外した状態の斜視図である。
【図６】左側のコンロ部においてコンロバーナを組み付けた状態の上方からの斜視図である。
【図７】左側のコンロ部においてコンロバーナを組み付けた状態の前方からの斜視図である。
【図８】カバーの斜視図である。
【図９】右側のコンロ部のガス量調整装置の位置での左右方向の断面図である。
【図１０】右側のコンロ部の斜視図（コンロバーナ組み付け前でカバーはカバー位置）である。
【図１１】右側のコンロ部の斜視図（コンロバーナ組み付け前でカバーは退避位置）である。
【図１２】右側のコンロ部の斜視図（コンロバーナ組み付け後でカバーはカバー位置）である。
【図１３】右側のコンロ部の斜視図（コンロバーナ組み付け後でカバーは退避位置）である。
【発明を実施するための形態】
【００１０】
以下、本発明の実施の形態を図面に基づいて説明する。
図１は、コンロの一例であるテーブルコンロの説明図である。テーブルコンロ１は、筐体２の左右（図１の手前側を前方とする。）に一対のコンロ部３，３を、両コンロ部３，３の間にグリル部４を備えてなる。コンロ部３に備えられるコンロバーナ５は、図２に示すように、炎口を形成するバーナキャップ７が上面に載置されるバーナ本体６と、そのバーナ本体６から突設されるスロート管８とからなり、筐体２内に固定された状態で、バーナ本体６及びバーナキャップ７が、筐体２の天板９に設けられたバーナ開口１０から上方に露出している。１１は五徳、１２は、内部に温度センサを備えてバーナ本体６及びバーナキャップ７の中央を貫通して上方へ突出し、五徳１１上に載置した鍋底に当接する感熱棒である。
【００１１】
グリル部４は、図３に示すように、コンロバーナ５，５の間でグリル壁１３によって前後方向に形成されるグリル庫１４内に、上下のグリルバーナ１５，１５を備えると共に、前端にグリル扉１７を備えたグリル皿１６を出し入れ可能に収容してなる。１８は、グリル庫１４の後部に形成された排気筒、１９はグリル皿１６上に載置された焼き網で、天板９には、排気筒１８の上端出口を覆う排気口キャップ２０が設けられている。
【００１２】
筐体２内には、図４にも示すように、外部からの図示しないガス管が接続されるガス配管２１が配設されて、筐体２の前面裏側には、ガス配管２１が接続されて上下のグリルバーナ１５，１５に燃料ガスを供給するためのガス量調整装置２２と、左右のコンロバーナ５，５に燃料ガスを供給するためのガス供給装置としてのガス量調整装置２３，２３がそれぞれ配設されている。グリルバーナ１５のガス量調整装置２２は、下部に、筐体２の前面に設けられた操作ボタン２５の押し操作によってガス流路を開閉するメイン弁や、立ち消え安全機能に利用される安全弁等を備える弁部２４を有している。そして、上部に、操作ボタン２５の上側で筐体２の前面から突出する調整レバー２７によってガス流路の開度を調整するニードル弁を備えた調整部２６を有している。調整部２６には、各グリルバーナ１５に接続されるガス管２８，２８が設けられている。
【００１３】
各コンロバーナ５のガス量調整装置２３も、下部に、筐体２の前面に設けられた操作ボタン３０の押し操作によってガス流路を開閉するメイン弁や、立ち消え安全機能に利用される安全弁等を備える弁部２９を有している。そして、上部に、操作ボタン３０の上側で筐体２の前面から突出する調整レバー３２によってガス流路の開度を調整するニードル弁を備えた調整部３１を有している。調整部３１には、後向きに突出するガスノズル３３が設けられている。
【００１４】
ここでのコンロバーナ５は、筐体２の内部でグリル壁１３と筐体２の側壁との間に配設された支持板３４と、ガス量調整装置２３の調整部３１との間で前後方向に架設される。支持板３４には、点火時にバーナキャップ７との間で連続放電する点火電極３５と、炎口からの炎を検知する熱電対３６とが取り付けられている。
また、コンロバーナ５は、図４に示すように、バーナ本体６及びスロート管８の上部分をプレス成形した上板３７と、バーナ本体６及びスロート管８の下部分をプレス成形した下板３８とをカシメ結合して形成される。スロート管８の端部には、図７に示すように、中心にガス導入孔４０を、その周囲に円弧状の一次空気導入孔４１，４１をそれぞれ形成したダンパキャップ３９が被せられている。コンロバーナ５は、図５に示すように、上板３７及び下板３８のカシメ結合によって周囲に形成されるフランジ部４２のうち、バーナ本体６の左右部位が支持板３４にネジ４３，４３によって固定される。一方、スロート管８の左右部位は、連結具４４を介して調整部３１にネジ止めされる。
【００１５】
この連結具４４は、スロート管８の軸線方向で長手方向となる平面視矩形状の枠体で、スロート管８に固定される固定部４５と、固定部４５から前方へ突出する一対の突出部４６，４６と、突出部４６，４６の前端同士を連結する架設部４７とからなる。固定部４５は、フランジ部４２にカシメ結合されてスロート管８と並行に取り付けられる左右一対のカシメ片４８，４８と、カシメ片４８，４８の後端同士を繋いでフランジ部４２の上面に対して垂直に立ち上げ形成される連結片４９とからなるコ字状となっている。
各突出部４６は、カシメ片４８から斜め上方に折曲される格好でカシメ片４８から延設されており、カシメ片４８の内縁から突出部４６の一部の内縁に掛けて、補強用のリブ４４ａ，４４ａがそれぞれ立ち上げ形成されている。
そして、架設部４７には、平面視でスロート管８の軸線上に位置する被嵌合部としての嵌合孔５０と、その両側に位置する２つのネジ止め孔５１，５１とが形成されて、前縁には、補強用のリブ５２が立ち上げ形成されている。
【００１６】
一方、ガス量調整装置２３の調整部３１において、ガスノズル３３の前側上面には、連結具４４の架設部４７に形成した嵌合孔５０に対応する突起５３と、その両側で２つのネジ止め孔５１，５１に対応する２つのネジ孔５４，５４とがそれぞれ形成されている。すなわち、載置部となる調整部３１の上面に連結具４４の架設部４７を上方から載置して、突起５３に嵌合孔５０を嵌合させた状態で、ネジ止め孔５１，５１を通して固定手段としてのネジ５５，５５をそれぞれネジ孔５４，５４にねじ込むことで、図６，７に示すように、連結具４４は調整部３１に固定される。この固定状態で、ガスノズル３３の後方にスロート管８のダンパキャップ３９が位置してガス導入孔４０の中心にガスノズル３３の先端が同軸で近接するようになっている。
【００１７】
そして、各ガス量調整装置２３の弁部２９の上側には、カバー５６が設けられる。このカバー５６は、図８に示すように、前後方向に長い平面視矩形状の本体部５７と、本体部５７の片側の長手辺から下向きに折曲される垂下部５８と、垂下部５８の下端から外向きに折曲される張出部５９とを含んでなる。本体部５７の前側（図８での右上側）の短手辺には、斜め上向きに傾斜片６０が折曲形成されると共に、傾斜片６０の左右方向の中央には、傾斜片６０よりも上向きで三角形状に開口する絞り部６１が形成されている。また、本体部５７の後側の短手辺には、斜め下向きに補強片６２が折曲形成され、垂下部５８と反対側の長手辺には、上向きの操作片６３が折曲形成されている。６４は、本体部５７の後側中央で上向きに突設する膨出部である。
さらに、張出部５９において、後端寄りには位置決め用の透孔６５が形成され、その前方にはネジ止め用の透孔６６が形成されて、張出部５９の外縁には、斜め上向きに係止部としての係止片６７が折曲形成されている。
【００１８】
このカバー５６は、図９に示すように、筐体２内でグリル壁１３にネジ止めされたスライド支持部としての支持カバー６８に支持される。この支持カバー６８は、グリル壁１３の外面に沿った支持部６９と、上下に分割されるグリル壁１３の水平な繋ぎ部分１３ａの上面に位置する平面部７０とを有している。支持部６９には、カバー５６の本体部５７が弁部２９の上方を覆うカバー位置と、カバー位置から後方へスライドして弁部２９の前部分を露出させる退避位置との間で張出部５９に設けた係止片６７が挿入する透孔７１が形成され、その透孔７１の上側の内縁には、カバー位置と退避位置との間で係止片６７に上方から被さるガイド部としてのガイド片７２が、係止片６７と同じ角度で斜め下向きに切り起こし形成されている。
【００１９】
また、平面部７０には、カバー位置で張出部５９の透孔６５に嵌合するボス７３と、透孔６６からネジ止め可能なネジ孔部７４とが設けられている。
このカバー５６及び支持カバー６８は、鏡面対称の形状で左右一対用意されて、支持カバー６８，６８がグリル壁１３の左右の側部にそれぞれ取り付けられ、各支持カバー６８側に張出部５９を向けて配置したカバー５６，５６が、左右の弁部２９，２９の上方でそれぞれスライド可能に支持されることになる。
【００２０】
以上の如く形成されたテーブルコンロ１において、各コンロ部３では、先にガス量調整装置２３を筐体２内に組み込んだ後、カバー５６を、張出部５９を支持カバー６８の平面部７０に載せて、ネジ孔部７４にネジ止めすることなく、係止片６７を透孔７１に差し込んだ状態でカバー位置にセットする。この状態で、カバー５６は本体部５７の重みで下側へやや傾くが、係止片６７がガイド片７２に当接することで、図１０のように弁部２９の上方を覆った状態で支持される。この状態では、ガイド片７２に案内される格好でカバー５６は後方へスライド可能となるため、図１１のように操作片６３を利用して弁部２９の前部分を露出させる退避位置へ簡単にスライドさせることができる。
次に、そのまま各コンロバーナ５を、前述のように支持板３４と調整部３１との間に連結具４４を利用して組み付ける。すると、図１２に示すように、連結具４４によって組み付けと同時にガスノズル３３がダンパキャップ３９に対して精度よく位置決めされる。
【００２１】
そして、ガス量調整装置２３のシール性の確認作業を行う場合、図１３に示すように、固定されていないカバー５６を退避位置へスライドさせて、操作ボタン３０を押し操作してコンロバーナ５に点火する。この状態で、柄の長いライター等を連結具４４の下側に差し込んで着火し、例えばカバー５６の傾斜片６０の絞り部６１に近づける。ここで引火が生じれば、ガス量調整装置２３のシール性が不十分で燃料ガスが漏洩しているとして、ガス量調整装置２３の交換や修理を行う。
一方、引火が生じなければ、ガス量調整装置２３のシール性は十分であるとして、確認作業を終了し、カバー５６を図１２のカバー位置へスライドさせて、図３に示すように張出部５９の透孔６６から支持カバー６８のネジ孔部７４へカバー固定手段としてのネジ７５によって固定する。その後、天板９を筐体２に組み付けて製品を完成させる。
よって、調理中に煮汁等がバーナ開口１０から筐体２内に浸入し、コンロバーナ５上に滴下することがあっても、カバー５６によって保護されるガス量調整装置２３の弁部２９への煮汁等の付着は防止される。
【００２２】
このように、上記形態のテーブルコンロ１によれば、連結具４４は、スロート管８に固定される固定部４５と、ガス導入孔４０の左右でガス導入孔４０から離れる方向に突出する一対の突出部４６，４６と、スロート管８の軸線方向でガス導入孔４０から所定距離離れた位置で一対の突出部４６，４６間に架設される架設部４７と、を備える一方、ガス量調整装置２３は、ガスノズル３３の突設方向と反対側の上面に、ガスノズル３３に対するスロート管８の適正位置で架設部４７が上方から載置される調整部３１を備え、架設部４７が調整部３１に載置されてネジ５５，５５で固定された状態で、連結具４４を介してスロート管８がガスノズル３３に対して位置合わせされることで、コンロバーナ５と共に連結具４４を上方からセットする工程でコンロバーナ５の位置決めが可能となる。よって、筐体２内での他の部品との干渉を考慮することなくコンロバーナ５の組み付けが可能となり、組み付け性が向上する。また、予めコンロバーナ５に固定された連結具４４を調整部３１に載置することで位置決めが行われるので、連結具４４に対してコンロバーナ５がずれたりすることがなく、ガスノズル３３に対するスロート管８の位置決めを同軸と両者間の距離との双方の点で精度よく行うことができる。
【００２３】
特にここでは、調整部３１の上面には、突起５３が設けられ、架設部４７には、調整部３１への架設部４７の載置と共に突起５３が嵌合して架設部４７を適正位置で位置決めする嵌合孔５０が設けられるので、コンロバーナ５及び連結具４４の仮組を容易且つ精度よく行うことができ、組み付け作業の作業性がより良好となる。
【００２４】
なお、上記形態では、架設部の固定手段を２本のネジとし、位置決めを一組の嵌合孔と突起とで行っているが、ネジの数を増減したり、嵌合孔と突起との組を増やしたりしてもよい。また、架設部に嵌合孔を、調整部に突起を設けているが、これと逆に架設部に突起を下向きに設け、調整部の上面に被嵌合部となる凹部や透孔を設けて位置決めを行うこともできる。
さらに、連結具は、例えば連結片をなくしてカシメ片のみとする等、固定部の形状を変えたり、カシメでなく他の手段で固定部をスロート管に固定したり等、適宜変更可能である。
【００２５】
一方、上記形態のテーブルコンロ１によれば、ガス量調整装置２３の弁部２９を覆うカバー５６を、カバー位置から弁部２９の一部を開放する退避位置へスライド可能に支持する支持カバー６８を設けて、ネジ７５による固定を解除した状態のカバー５６を、支持カバー６８によって退避位置へスライド可能としたことで、コンロバーナ５の組み付け状態でもカバー５６をスライドさせて弁部２９を開放させれば、ガス量調整装置２３のシール性の有無を容易に確認することができる。一方、シール性の確認作業の終了後には、カバー５６を弁部２９を覆うカバー位置へ簡単にスライドさせて固定することができる。よって、組み立て工程の効率化を図ることができる。
【００２６】
特にここでは、支持カバー６８をグリル庫１４の側部に設けているので、筐体２内の狭いスペースでもグリル庫１４を利用して支持カバー６８を簡単に設置することができる。
また、カバー５６を、弁部２９の上方を覆う本体部５７と、本体部５７におけるグリル庫１４の側部側の端縁から下向きに折曲される垂下部５８と、垂下部５８の下部からグリル庫１４側に張り出す張出部５９と、張出部５９からグリル庫１４側へ斜め上向きに突出する係止片６７と、を備えたものとし、支持カバー６８を、張出部５９が載置される平面部７０と、張出部５９の載置状態で係止片６７に上方から被さり、係止片６７のスライドを案内するガイド片７２と、を備えるものとしたことで、グリル庫１４側に支持カバー６８を設ければ足り、グリル庫１４と反対側でカバー５６を支持する機構が不要となるため、少ない部品点数でカバー５６のスライド支持が可能となる。
【００２７】
なお、カバーの形状は上記形態に限らず、例えば本体部を円弧状に湾曲する板体としたり、垂下部を無くして本体部の側縁にガイド片等のガイド部を直接設けたりすることができる。支持カバーも、カバーのスライド支持が可能であれば形状は適宜変更可能で、支持カバーをなくしてグリル壁に直接スライド支持部を形成することもできる。また、カバー固定手段としてツマミネジ等を利用したり、カバーのスライドストロークを大きくしたりすることも可能である。
さらに、上記形態ではグリル庫に支持カバーを設けてスライド支持部を形成しているが、スペース的に余裕があればグリル庫に関係なく単独で支持カバー等のスライド支持部を筐体内に設けても差し支えない。従って、グリル部のないコンロであってもカバーのスライドに係る発明は採用可能である。
【００２８】
そして、上記形態では、テーブルコンロに連結具やカバーに係る発明を適用した例となっているが、ビルトインコンロであってもこれらの発明は適用可能である。コンロ部が３口のものでも差し支えない。
【符号の説明】
【００２９】
１・・テーブルコンロ、２・・筐体、３・・コンロ部、４・・グリル部、５・・コンロバーナ、６・・バーナ本体、７・・バーナキャップ、８・・スロート管、９・・天板、１３・・グリル壁、１４・・グリル庫、１５・・グリルバーナ、２２，２３・・ガス量調整装置、２４，２９・・弁部、２５，３０・・操作ボタン、２６，３１・・調整部、２７，３２・・調整レバー、３３・・ガスノズル、３４・・支持板、３９・・ダンパキャップ、４０・・ガス導入孔、４３，５５，７５・・ネジ、４４・・連結具、４５・・固定部、４６・・突出部、４７・・架設部、４８・・カシメ片、５０・・嵌合孔、５１・・ネジ止め孔、５３・・突起、５４・・ネジ孔、５６・・カバー、５７・・本体部、５８・・垂下部、５９・・張出部、６０・・傾斜片、６５，６６・・透孔、６７・・係止片、６８・・支持カバー、６９・・支持部、７０・・平面部、７２・・ガイド片、７３・・ボス、７４・・ネジ孔部。
【図１】
0006587469.tif 000002
【図２】
0006587469.tif 000003
【図３】
0006587469.tif 000004
【図４】
0006587469.tif 000005
【図５】
0006587469.tif 000006
【図６】
0006587469.tif 000007
【図７】
0006587469.tif 000008
【図８】
0006587469.tif 000009
【図９】
0006587469.tif 000010
【図１０】
0006587469.tif 000011
【図１１】
0006587469.tif 000012
【図１２】
0006587469.tif 000013
【図１３】
0006587469.tif 000014